(57)【特許請求の範囲】
【請求項１】
キャビネット本体に出し入れ可能に収納された複数段の抽斗と、各抽斗の前面を覆い、かつ開放時にキャビネット本体に収納可能に設けられた跳上げ扉と、何れか１つの抽斗の引出し時に残りの抽斗を収納位置に係止する安全係止機構と、前記跳上げ扉を抽斗閉鎖位置に係止するロックレバーとを備え、前記ロックレバーはばね部材により扉係止方向に付勢されており、前記安全係止機構が前記キャビネット本体に上下動可能に縦設された作動杆を有し、前記作動杆は、前記抽斗の係止を解除する方向に移動するときに前記ロックレバーを扉解放位置へと移動させると共に、前記抽斗を収納位置に係止する位置にあるときに前記ロックレバーが扉係止位置と扉解放位置との間を移動し得るように前記ロックレバーに係接しており、前記キャビネット本体には、前記ロックレバーを扉係止位置に係止するための作動規制部材が設けられており、前記作動規制部材はばね部材によりレバー係止位置へと付勢されており、且つ、前記跳上げ扉が開放状態の位置から抽斗閉鎖位置に到達するとき前記跳上げ扉によりレバー解放位置へと移動されるように配置されていることを特徴とする。
【請求項２】
前記ロックレバーを付勢するばね部材の一端が前記ロックレバーに、他端が前記作動杆にそれぞれ係止されていることを特徴とする請求項１記載のキャビネット。
【請求項３】
前記ロックレバーを付勢するばね部材の一端が前記ロックレバーに、他端が前記ロックレバーを軸支する取付部材にそれぞれ係止されていることを特徴とする請求項１記載のキャビネット。
【発明の詳細な説明】
【０００１】
【産業上の利用分野】
本発明は、複数段の抽斗の前面を覆う跳上げ扉を備えたキャビネットに関する。
【０００２】
【従来の技術】
従来、複数段の抽斗を有するキャビネットにおいては、抽斗内の秘密保持などのために、全ての抽斗に対して施錠する施錠装置が一般に設けられている。また、複数段の抽斗を有するキャビネットにおいては、同時に複数段の抽斗が引き出されると重心が不安定になり、キャビネットが倒れてしまう恐れがあることから、実公昭５６−２０５４７号公報に開示されているように、１つの抽斗の使用中に他の抽斗の引き出し移動を阻止する安全係止装置を設けることが一般的である。さらに、実公昭６３−１３７２２号公報に開示されているように、前記両装置を組み込んだキャビネットも知られている。
【０００３】
また、複数段の抽斗の各前面を覆う跳上げ扉を備えたキャビネットがあり、この種のキャビネットには、上述した何れか１つの抽斗の引出し時に他の全ての抽斗を収納位置に係止する安全係止装置に連動して、跳上げ扉を抽斗の前面閉鎖位置に係止するロックレバーを設け、跳上げ扉が不用意に開いてしまうことを防いでいるものがある。
【０００４】
図１３は従来の跳上げ扉のロック状態を示す構成図であり、図示しない抽斗の安全係止装置の一部である作動杆１００に設けられた係合穴１００ａに後端１０１ａが係止し、かつ前端１０１ｂが跳上げ扉１０２の係合穴１０２ａに係止可能なロックレバー１０１を、キャビネット本体１０３に回動可能に設けており、さらに、ロックレバー１０１による跳上げ扉１０２のロック時には、キャビネット本体１０３側に設けられたマグネット１０４によって、跳上げ扉１０２が吸着されて跳上げ扉１０２の振動が防止されるようになっている。
【０００５】
【発明が解決しようとする課題】
しかし、前記従来の跳上げ扉のロック機構では、抽斗の安全係止装置による抽斗のロック動作に連動して、すなわち、作動杆１００の下降によって、ロックレバー１０１が、跳上げ扉１０２を抽斗閉鎖位置に係止する位置まで回動する構造であるため、跳上げ扉１０２を開けた状態で安全係止装置が作動し、作動杆１００が下降すると、ロックレバー１０１が、跳上げ扉１０２の係合穴１０２ａと係止可能な位置まで回動し、しかも、跳上げ扉１０２が抽斗閉鎖位置にないのに係わらず突出した状態となる。
【０００６】
このため、跳上げ扉１０２を閉めようとしても、突出したロックレバー１０１が障害となって閉めることができず、しかも、跳上げ扉１０２を不用意に閉めようとすると、ロックレバー１０１あるいは跳上げ扉１０２に損傷を生じさせしまうという問題があった。
【０００７】
したがって、本発明の目的は、前記問題を解決し、抽斗に安全係止機構によってロックが掛かっていても、跳上げ扉を開放状態の位置から支障なく閉動作させることができるキャビネットを提供することにある。
【０００８】
【課題を解決するための手段】
前記課題を解決するため、請求項１記載の発明は、キャビネット本体に出し入れ可能に収納された複数段の抽斗と、各抽斗の前面を覆い、かつ開放時にキャビネット本体に収納可能に設けられた跳上げ扉と、何れか１つの抽斗の引出し時に残りの抽斗を収納位置に係止する安全係止機構と、前記跳上げ扉を抽斗閉鎖位置に係止するロックレバーとを備え、前記安全係止機構が前記キャビネット本体に上下動可能に縦設された作動杆を有し、前記ロックレバーはばね部材により扉係止方向に付勢されており、前記作動杆は、前記抽斗の係止を解除する方向に移動するときに前記ロックレバーを扉解放位置へと移動させると共に、前記抽斗を収納位置に係止する位置にあるときに前記ロックレバーが扉係止位置と扉解放位置との間を移動し得るように前記ロックレバーに係接しており、前記キャビネット本体には、前記ロックレバーを扉係止位置に係止するための作動規制部材が設けられており、前記作動規制部材はばね部材によりレバー係止位置へと付勢されており、且つ、前記跳上げ扉が開放状態の位置から抽斗閉鎖位置に到達するとき前記跳上げ扉によりレバー解放位置へと移動されるように配置されていることを特徴とする。
【０００９】
請求項２記載の発明は、前記ロックレバーを付勢するばね部材の一端が前記ロックレバーに、他端が前記作動杆にそれぞれ係止されていることを特徴とする。
【００１０】
請求項３記載の発明は、前記ロックレバーを付勢するばね部材の一端が前記ロックレバーに、他端が前記ロックレバーを軸支する取付部材にそれぞれ係止されていることを特徴とする。
【００１１】
【作用】
請求項１記載のキャビネットにおいては、跳上げ扉が抽斗閉鎖位置から開放動作されると、作動規制部材がレバー解放位置からレバー係止位置へと移動し、ロックレバーを扉解放位置に係止する。したがって、その後他の跳上げ扉が開放されてその内側の抽斗が引き出された場合、先に開放されていた跳上げ扉の内側の抽斗は安全係止機構によってキャビネット本体の収納位置に係止されるが、跳上げ扉を抽斗閉鎖位置に係止するためのロックレバーは作動規制部材によってレバー解放位置に保たれているので、先に開放されていた跳上げ扉を支障なく抽斗閉鎖位置へと閉動作させることができる。そして、跳上げ扉が抽斗閉鎖位置に到達するとき、作動規制部材が跳上げ扉により押されてレバー解放位置へと移動し、ロックレバーを扉解放位置から解放するので、ロックレバーはばね部材のばね力によって扉係止位置へと移動することにより、抽斗閉鎖状態の跳上げ扉と係合し、該跳上げ扉を抽斗閉鎖位置にロックする。このようにして、先に開放されていた跳上げ扉は、他の跳上げ扉の内側の抽斗が引き出された後であっても、支障なく閉動作させて抽斗閉鎖位置にロックすることができるので、先に開放されていた跳上げ扉の内側の抽斗の前面を該跳上げ扉により安全に閉鎖保護することができる。
【００１２】
請求項２記載のキャビネットにおいては、ロックレバーをレバー係止方向に付勢するばね部材の一端がロックレバーに、他端が作動杆にそれぞれ係止されているので、作動杆を抽斗の係止解除方向に移動させるときにロックレバーを付勢するばね部材のばね力を一定に保つことができる。したがって、作動杆を軽い力で抽斗の係止解除方向に動作させることができる。
【００１３】
請求項３記載のキャビネットにおいては、ロックレバーを付勢するばね部材の一端がロックレバーに、他端がロックレバーを軸支する取付部材にそれぞれ係止されているので、作動杆を抽斗の係止解除方向に移動させるときにロックレバーを付勢するばね部材のばね力が増大するが、ばね部材をロックレバーと共に取付部材に予め組み込んでおくことができ、構造が簡素化され、部品点数が少なくなると共に、キャビネット本体への部品組付け作業が容易になる。
【００１４】
【実施例】
以下、図面を参照して本発明の実施例を説明する。
【００１５】
図１は本発明の一実施例の斜視図、図２は本実施例の縦断面図であり、キャビネット１は前面が開放されたキャビネット本体２を有し、キャビネット本体２内には前面が開放された複数段（本実施例では３段を示している）の抽斗４が引き出し可能に収納されている。また、抽斗４の前面を閉鎖するための跳上げ扉３は、本体２内に各抽斗４に対応して設けられた収納部６に収納可能であって、収納部６の外側に引き出されて、かつ下方へ回動されることによって、各抽斗４の前面を覆うことができるようになっている。
【００１６】
図３は本実施例の安全係止機構の要部を示す正面図、図４は安全係止機構の要部の分解斜視図、図５は図３におけるＡ−Ａ線断面図、図６は図３におけるＢ−Ｂ線断面図、図７は図３におけるＣ−Ｃ線断面図であり、抽斗４の一方の側（図中左側）において、キャビネット１のキャビネット本体２の内側には安全係止機構１２の作動杆１３が上下動可能に縦設されている。図４に示すように、作動杆１３の上端には弾性を有するプラスチック製の係合片１４が設けられており、キャビネット本体２内の作動杆１３の上方には、前記係合片１４と係合可能なキャッチ部材１５が設けられている。
【００１７】
各抽斗４の左側面には係合ピン１６が突設されており、各係合ピン１６に対応して作動杆１３には係合ピン１６と当接可能な３個のピンガイド１７が設けられている。各ピンガイド１７には係合ピン１６を通過させる傾斜溝１７ａが抽斗４の側に開口して形成されており、各傾斜溝１７ａは作動杆１３が上下端位置にあるとき対応する係合ピン１６が傾斜溝１７ａを通過し得るようにピンガイド１７の後端下部から前端上部に向かって傾斜して延びている。したがって、作動杆１３が上端位置にあるとき係合ピン１６がピンガイド１７の傾斜溝１７を通過できるので、何れかの抽斗４をキャビネット本体２から引き出すことができる。また、何れかの抽斗４を引き出すと、係合ピン１６が、ピンガイド１７の傾斜溝１７ａを後方から前方に通過する際に、ピンガイド１７に作用して作動杆１３を押し下げる。そして、作動杆１３が下端位置まで押し下げられると、他のピンガイド１７が対応する抽斗４の係合ピン１６に当接する位置になるので、残りの抽斗４は収納位置に安全に係止されることになる。
【００１８】
前記キャッチ部材１５は、作動杆１３が上端位置にあるときに、作動杆１３の係合片１４と係合して、作動杆１３を上端位置に保持する役割を果たすもので、このようなキャッチ部材１５はキャビネット本体２内に固定されていてもよいが、本実施例ではキャッチ部材１５は、作動杆１３および後述する施錠機構２１と共働して全ての抽斗４を収納位置に係止する施錠動作をも行うものになっている。
【００１９】
すなわち、キャッチ部材１５は上端位置の作動杆１３を保持する位置と下端位置の作動杆１３を保持する位置との間で上下動可能であり、キャッチ部材１５が下端位置にあるときは作動杆１３は下端位置に保持されるので、全ての抽斗４の引き出しが不可能になる。
【００２０】
施錠機構２１は、キー差込部２２と、キー操作によるキー差込部２２の正逆動作に連動して回動される鍵棒２３と、この鍵棒２３の一端（左側）に固定されて先端がキャッチ部材１５に係合し、鍵棒２３の回動によりキャッチ部材１５を上下動させるキャッチ部材作動レバー２４とを有する。
【００２１】
図３および図４に示すように、キャッチ部材１５は、作動杆１３の係合片１４をスナップイン嵌合する係合穴を有するそれ自体周知のキャッチ片１８と、このキャッチ片１８を保持するキャッチ取付板１９とを有し、キャッチ取付板１９の上端部にはキャッチ部材作動レバー２４の先端に固定されたピン２５が係合する係合穴１９ａが形成されている。また、本実施例では、作動杆１３は横断面略コ字形をなしており、キャッチ取付板１９の下端部には作動杆１３の凹内面にスライド可能に係合するプラスチック製のスライドガイド２０が取り付けられている。このスライドガイド２０は、作動杆１３またはキャッチ取付板１９が上下動されるとき両者を滑らかに相対移動させて、騒音の発生を防止する役割を果たす。
【００２２】
図３，図４および図７に示すように、本実施例では、施錠機構２１が、さらに作動杆１３と対向してキャビネット本体２の右内側に上下移動可能に縦設された作動杆２６と、前記鍵棒２３の他端（右側）に固定されて、先端が作動杆２６に係合し、鍵棒２３の回動に応じて作動杆２６を上下動させる鍵作動レバー２７とを有している。また、各抽斗４の右側面には、係止ピン２８が突設されると共に、各係止ピン２８に対応して作動杆２６には係止ピン２８と当接可能な３個のストッパ２９が設けられている。各抽斗４の係止ピン２８は、作動杆２６が上下動区間の上端位置にあるとき、対応するストッパ２９の下を通過可能な位置にあり、かつ作動杆２６が下端位置にあるときストッパ２９の後端と当接する位置にある。
【００２３】
ここでは、作動杆１３と作動杆２６とは、抽斗４の一方の側と他方の側に略左右対称にバランスよく配置されており、キー差込部２２はキャビネット本体２の前面上部に略中央に配置されている。そして、鍵棒２３は角棒からなり、作動杆２６の上端部近傍からキャッチ部材１７の上端部近傍まで略水平に延びており、その略中央にて回転連結部材としての鍵作動具３０とクランクピン３１を介してキー差込部２２と連結されている。
【００２４】
図５に示すように、鍵作動具３０は、キャビネット本体２の上壁板５の折り返し部５ａにフック部３３ａとねじ３４にて固定された鍵取付ケース３２に回動可能に保持されている。また、図３，図６および図７に示すように、キャッチ部材作動レバー２４および鍵作動レバー２７は、キャビネット本体２の上壁板５の折り返し部５ａに嵌着されたガイド３５，３６にそれぞれ回動可能に支持されている。
【００２５】
図８は本実施例における跳上げ扉のロックレバー部分の側面を示す構成図、図９は図８におけるＤ−Ｄ線断面図、図１０（ａ），（ｂ）はロックレバー部分の作動の説明図、図１１はロックレバー部分の背面図である。これらの図を参照すると、キャビネット１のキャビネット本体２の側壁に固定（例えばねじ止め）される樹脂製の取付部材４０にはピン４０ａが突設されており、このピン４０ａにロックレバー４１の略中央部が回動可能に軸支されている。ロックレバー４１の一端（左側）には跳上げ扉３の内壁に穿設された受け穴３ａと係合することが可能な爪部４１ａが形成され、かつ他端（右側）に前記安全係止機構１２を構成する作動杆１３に穿設された係合穴１３ａと係合する折曲部４１ｂが形成されている。作動杆１３の係合穴１３ａは上下方向に長孔となっているので、作動杆１３が図１０（ｂ）に示す抽斗係止位置にあるとき、ロックレバー４１の折曲部４１ｂは係合穴１３ａ内で上下に移動可能であり、これによりロックレバー４１は扉係止位置（図１０（ｂ）の位置）と扉解放位置（図１０（ａ）の位置）との間を移動可能である。ロックレバー４１の折曲部４１ｂの下部には、下端が前記作動杆１３に係止されているコイルばね４２の上端が係止しており、ロックレバー４１に爪部４１ａが跳上げ扉３の受け穴３ａと係合する方向への付勢力（時計方向の回動力）を与えている。
【００２６】
また、取付部材４０の左上部には、上端に跳上げ扉３側に折り曲げられた突起片４３ａが形成され、かつ下端にロックレバー４１の上側段部４１ｃと係脱可能な垂下片４３ｂが形成された作動規制部材４３の中央部４３ｃを回動可能に支持している。作動規制部材４３には、突起片４３ａが前方に出て、かつ垂下片４３ｂがロックレバー４１と係合するように付勢力（反時計方向の回動力）を与える捩りばね４４が設けられている。さらに、取付部材４０の左下部には、跳上げ扉３を吸着するマグネット４５が設けられている。
【００２７】
図１０（ａ）および図１１に示す状態は、安全係止機構１２が作動して、上述したように、何れか１つの抽斗４の引き出し時に残りの抽斗４をキャビネット本体２の収納位置に係止している状態にあり、しかも、この抽斗４における跳上げ扉３は抽斗前面を覆っていない状態すなわち開放状態にあって、作動規制部材４３は、捩りばね４４の付勢力を受けて中央部４３ｃを中心に反時計方向に回動して、垂下片４３ｂがロックレバー４１の上側段部４１ｃと係合して、ロックレバー４１を扉係止位置に保持している。この爪部４１ａの位置において、爪部４１ａは跳上げ扉３の受け穴３ａへ挿入することが可能である。
【００２８】
上記の状態で跳上げ扉３を、抽斗４前面を覆うように回動させると、跳上げ扉３の内壁が作動規制部材４３の突起片４３ａに当接し（図８の２点鎖線参照）、図１０（ｂ）に示すように、作動規制部材４３を捩りばね４４の付勢力に抗して時計方向に回動させ、垂下片４３ｂによるロックレバー４１の係止を解除する。すると、ロックレバー４１はコイルばね４２の付勢力を受けてピン４０ａを中心として時計方向すなわち扉係止方向に回動することになる。ロックレバー４１のこの回転によって、爪部４１ａは跳上げ扉３の受け穴３ａの上端と係合して、跳上げ扉３を抽斗閉鎖位置に係止する。
【００２９】
このように、作動規制部材４３は、跳上げ扉３が抽斗４前面を覆う抽斗閉鎖位置にないときには安全係止機構１２が作動しても、跳上げ扉３に対して図１０（ａ）に示す位置にあり、跳上げ扉３を抽斗４前面を覆うために回動させる際に作動規制部材４３が、その回動を邪魔するようなことはなく、したがって、跳上げ扉３が作動規制部材４３に衝突して、損傷を生じることを防止できる。
【００３０】
上記構成のキャビネットにおいては、ロックレバー４１をレバー係止方向に付勢するコイルばね４２の一端がロックレバー４１に、他端が作動杆１３にそれぞれ係止されているので、作動杆１３を抽斗４の係止解除方向に移動させるときにコイルばね４２のばね力を一定に保つことができる。したがって、作動杆１３を軽い力で抽斗４の係止解除方向に動作させることができる。
【００３１】
図１２は本発明の他の実施例を示したものである。この実施例においては、ロックレバーを扉係止方向に付勢するばね部材として捩りばね５０が用いられており、捩りばね５０の一端はロックレバー４１に、他端がロックレバー４１を軸支する取付部材４０にそれぞれ係止されている。したがって、作動杆１３を抽斗４の係止解除方向に移動させるときにロックレバー４１を付勢する捩りばね５０のばね力が増大することになるが、捩りばね５０をロックレバー４１と共に取付部材４０に予め組み込んでおくことができ、構造が簡素化され、部品点数が少なくなると共に、キャビネット本体２への部品組付け作業が容易になる。
なお、ロックレバー４１を扉係止方向に付勢するばね部材４２，５０等を省略し、ロックレバー４１の自重によって扉係止方向への回動力を生じさせても同様の作用効果が得られる。
【００３２】
【発明の効果】
以上の説明から明らかなように、本発明によれば、先に開放されていた跳上げ扉は、他の跳上げ扉の内側の抽斗が引き出された後であっても、支障なく閉動作させて抽斗閉鎖位置にロックすることができるので、先に開放されていた跳上げ扉の内側の抽斗の前面を該跳上げ扉により安全に閉鎖保護することができる。したがって、跳上げ扉やロックレバーの損傷を防止できると共に、安全性の高いキャビネットを提供することができる。
【図面の簡単な説明】
【図１】本発明のキャビネットの一実施例を示す斜視図である。
【図２】本実施例の縦断面図である。
【図３】本実施例の安全係止機構の要部を示す正面図である。
【図４】図３の安全係止機構の要部の分解斜視図である。
【図５】図３におけるＡ−Ａ線断面図である。
【図６】図３におけるＢ−Ｂ線断面図である。
【図７】図３におけるＣ−Ｃ線断面図である。
【図８】本実施例の跳上げ扉のロックレバー部分の側面を示す構成図である。
【図９】図８におけるＤ−Ｄ線断面図である。
【図１０】ロックレバー部分の作動の説明図である。
【図１１】ロックレバー部分の背面図である。
【図１２】作動規制部材を付勢する他の弾性部材を示す背面図である。
【図１３】従来の跳上げ扉のロックレバー部分の側面を示す構成図である。
【符号の説明】
１      キャビネット
２      本体
３      跳上げ扉
４      抽斗
１２    安全係止機構
１３    作動杆
４０    支持ブロック
４１    ロックレバー
４２    コイルばね
４３    作動規制部材
４４    捩りばね
【図１】
0003573302.tif 000002
【図２】
0003573302.tif 000003
【図３】
0003573302.tif 000004
【図４】
0003573302.tif 000005
【図５】
0003573302.tif 000006
【図６】
0003573302.tif 000007
【図７】
0003573302.tif 000008
【図８】
0003573302.tif 000009
【図９】
0003573302.tif 000010
【図１０】
0003573302.tif 000011
【図１１】
0003573302.tif 000012
【図１２】
0003573302.tif 000013
【図１３】
0003573302.tif 000014